(57)【要約】本発明は、歯科用Ｘ線撮影または写真撮影を目的としたセンサプレートに関する機構に関し、センサプレート（１０；１０’；１０’’；１０’’’）は、例えば、デジタルまたはアナログ形式であって、使い捨て用または多数回の使用を意図されている。センサプレート（１０；１０’；１０’’；１０’’’）は、多くの異なった位置（Ａ〜Ｆ）でプレート保持部材（４０）に係合することを意図した係合部材（３０、３１；３０’、３１’；６１〜６４；８０〜８２；９０；９５）を有するまたは保持する。プレート保持部材（４０）は、センサプレートの係合部材（３０、３１；３０’、３１’；６１〜６４；８０〜８２；９０；９５）に係合する手段（５１、５２；５０）を有する。
2005534401.tif 000002
【特許請求の範囲】
【請求項１】
歯科用Ｘ線撮影を目的としたセンサプレートに関し、前記センサプレート（１０，１０’，１０’’，１０’’’）は、例えばデジタルまたはアナログ式であって、使い捨てまたは多数回の使用が意図されている装置において、
前記センサプレート（１０，１０’，１０’’，１０’’’）は、少なくとも３つの異なった位置（Ａ〜Ｆ）で、プレート保持部材（４０）に係合することを意図した係合部材（３０，３１，３０’，３１’，６１〜６４，８０〜８２，９０，９５）を有するまたは保持することを特徴とする装置。
【請求項２】
前記センサプレートの前記係合部材（３０，３１）は、側部材（２１〜２４）に配置されていることを特徴とする請求項１に記載の装置。
【請求項３】
前記係合部材（３０，３１’）は、前記センサプレート（１０）から取り外し可能であることを特徴とする請求項１または２に記載の装置。
【請求項４】
前記係合部材（３０’，３１’，６１〜６４，８０〜８２，９０，９５）は、前記センサプレート（１０’，１０’’，１０’’’）に固定されることを特徴とする請求項１または２に記載の装置。
【請求項５】
前記係合部材は、前記センサプレート（１０’’’）内に、開口（７１〜７８，９０，９５）を有することを特徴とする請求項１に記載の装置。
【請求項６】
前記係合部材は、ワイヤ状部材（６１〜６４）を有することを特徴とする請求項１に記載の装置。
【請求項７】
前記プレート保持部材（４０）は、前記係合部材（３０，３１，３０’，３１’，６１〜６４，８０〜８２）に係合する溝（５１，５２）有することを特徴とする請求項１〜６のいずれか一項に記載の装置。
【請求項８】
前記プレート保持部材（４０）は、咬みプレート（４５）を有することを特徴とする請求項１〜７のいずれか一項に記載の装置。
【請求項９】
前記プレート保持部材（４０）は、保持ピン（４１）および位置合わせ補助部材（４６）を有することを特徴とする請求項１〜８のいずれか一項に記載の装置。
【請求項１０】
前記センサプレート（１０，１０’，１０’’，１０’’’）は、６つの異なった位置（Ａ〜Ｆ）で、前記プレート保持部材（４０）に係合するようになっていることを特徴とする請求項１〜９のいずれか一項に記載の装置。
【発明の詳細な説明】
【技術分野】
【０００１】
本発明は、請求項１の前文に係る歯科用Ｘ線撮影のためのセンサプレートに関係する装置（arrangement）に関する。本発明はまた、歯科用Ｘ線撮影において、センサプレートの位置決めを行うホルダに関する。
【０００２】
歯科用Ｘ線撮影に関連したセンサプレートまたはＸ線プレート／Ｘ線フィルムの保持または支持用に、幾つかの異なった種類の補助装置が、当該技術分野で知られている。そのような装置は、正方形の平坦なセンサプレートまたはＸ線フィルムの使用に基づき、補助装置は、歯科用Ｘ線撮影を行うときに、望ましい位置でセンサを保持するように、プレート／フィルムに係合するさまざまな形式の手段を含む。プレートを口腔内のどの場所に置くか、すなわち、どの歯またはどの複数の歯の検査およびＸ線撮影を行うかに応じたプレート／フィルムの保持／支持に関しては、他のオプションが望ましい。
【０００３】
業界では、多数回使用のセンサプレートを使用することが、より一般的になってきている。センサプレートは通常はデジタル式であるが、アナログプレートも考えることができる。したがって、本文脈で使用するときのセンサプレートという用語は、通常は電子的に提供されて適当な方法で保存される透過像（a translucent image）、すなわちＸ線像を提供する補助装置を意味するものと理解されたい。
【０００４】
本発明の目的は、上記形式の非常に魅力的なセンサプレート装置を提供することであり、この目的は、特許請求の範囲の特徴部分に定義されているセンサプレートおよび装置を用いて達成される。
【０００５】
本発明のセンサプレート装置は、技術的および経済的な、両方の利点を提供する。
【０００６】
本発明によれば、センサプレートは、歯科用検査を実施する際に、多くの位置決めオプションを与えるような、多くの互いに異なる方法でホルダと協働する、互いに分離した部材を備える。
【０００７】
次に、例示的な実施形態と共に添付図面を参照しながら、本発明をさらに詳細に説明する。
【０００８】
図１に歯科用Ｘ線のセンサプレート１０が示されており、これはもちろん、適用可能なアナログおよびデジタル画像形成技術の範囲に入る、多数の設計のうちの任意のものを有してもよい。画像伝送目的に必要であると考えられるケーブルは図示していない。
【０００９】
図１の実施形態のセンサプレート１０は、４つの側部ストリップ２１〜２４を備え、それらの各々は、２つの長手方向に延びる長手ガイドストリップ３０および横ガイドストリップ３１を有する。長手ガイドストリップ３０および横ガイドストリップ３１間に、開口３２および３３が配置されている。側部ストリップ２１〜２４は、センサプレート１０を使用する前に、該センサプレート１０の側縁部１１〜１４に、側部ストリップをはめ付けることができるようにする開口すなわち溝３５も有する。望むなら、一体構造体を形成するように、側部ストリップ２１〜２４をセンサプレート１０と一体化することができる。
【００１０】
図１にはまた、センサプレート１０の側部ストリップ装置（the side strip arrangement）と協働するようにしたホルダピン４０の形態で、プレート保持部材が示されている。ホルダピン４０は、ステム４１と、いわゆる咬みパッドすなわち咬みプレート４５と、ホルダストリップ５０とを有する。ステム４１は、接合部４２を経由して咬みプレート４５に連結されている。ホルダストリップ５０は、長手方向に延びる溝５１および横溝５２を有する。プレート保持部材すなわちホルダピン４０は位置合わせピン４６も有し、これは、写真撮影またはＸ線検査を実施する際の位置合わせ補助部材として機能することを目的としている。
【００１１】
歯科用Ｘ線撮影において、側部ストリップ２１〜２４を保持する（carrying）センサプレート１０を、プレート保持部材すなわちホルダピン４０に異なった２通りではめ付けることができる。これは、溝５１を、側部ストリップ２１および２３上、または側部ストリップ２２および２４上の互いに向き合った２つの横ガイドストリップ３１に係合させることによって可能になる。横溝５２が横ガイドストリップ３１を受け取るようにして、溝５１を側部ストリップ２１〜２４のうちの１つの長手ガイドストリップ３０に係合させることにより、側部ストリップ２１〜２４を保持しているセンサプレート１０は、さらなる４つの方法で、ホルダピン４０にはめ付けることもできる。これらの組み付けのオプションは、異なった６通りのうちの任意の１つでホルダピン４０をセンサプレート１０にはめ付けることができ、これにより、センサプレートを患者の口内で歯科用Ｘ線撮影に関して所望の向きにできることを意味する。患者は、咬みパッドすなわち咬みプレート４５を咬むことにより、センサプレート１０を所望位置に固定するのを助けることができる。位置合わせピン４６は、関係するＸ線プロセスまたは写真プロセスに使用される、放射線源の位置合わせを助ける機能を果たす。
【００１２】
図２は、側部ストリップ２１〜２４を取り付けたセンサプレート１０を示す。
【００１３】
図３〜図５は、本発明のセンサプレートの他の実施形態の例を示す。
【００１４】
図３に示されたセンサプレート１０’の場合、長手ストリップ３０’および横ストリップ３１’がセンサプレート１０’と一体化しており、これによって固定した部分となる。
【００１５】
図４に示されたセンサプレート１０’’の場合、センサプレート１０’’は、ホルダピン４０の溝５１および５２と協働するようにしたワイヤ状側部材６１〜６４を保持している。
【００１６】
図５に示されたセンサプレート１０’’’の場合、センサプレート１０’’’は、必要なホルダ係合手段すなわちホルダ連結手段８０〜８２を提供する開口７１〜７８すなわち溝を有し、ホルダ連結手段８０〜８２がホルダピン４０の長手溝５１に係合する。
【００１７】
図３〜図５に示された実施形態もまた、センサプレートをホルダピン４０にはめ付ける際に、６つの異なったオプションを提供することに注意されたい。
【００１８】
本発明に従い、ホルダピン４０をセンサプレート１０にはめ付ける任意の可能性を、図６に鎖線Ａ〜Ｆで示す。
【００１９】
図７は、ホルダピン４０をセンサプレート１０に固定する他の手段を示す。この場合、ホルダストリップ５０はセンサプレート１０の溝９０にほぼ形状的に一致し、センサプレート１０は好ましくは、図６の線Ａ〜Ｆに従った溝パターンを有するであろう。したがって、歯科検査を実施する際に、ホルダストリップ５０を適当な溝９０に挿入する。
【００２０】
図８は、ホルダピン４０をセンサプレート１０に固定するさらなる他の方法を示しており、この場合、ホルダストリップ５０がセンサプレート１０の溝９５にほぼ形状的に一致し、センサプレート１０は好ましくは、図６の線Ａ〜Ｆに従った溝パターンを有する。したがって、歯科検査を実施する際に、ホルダストリップ５０を適当な溝９５に挿入する。
【００２１】
ホルダと協働するための本発明のセンサプレートの設計に関して、多くのオプションを利用できることが理解されるであろう。したがって、センサプレートおよびプレート保持部材の両方を、本発明の概念に入る多くの異なった方法で修正できることが理解されるであろう。しかし、本質的な特徴は、センサプレートが、センサプレートをホルダピンすなわちプレート保持部材に連結する手段を保持することであり、この手段は、固定式または取り外し可能のいずれかである。
【００２２】
ホルダピンおよび側部ストリップは、非制限的な例としてプラスチック材料のような任意の適当な材料で形成することができることに、さらに留意されたい。さらに、センサプレートおよびその発明の側面装置または縁部装置および／またはその開口の配置は、使い捨て、または歯科検査に関して必要な衛生レベルを維持しながら、センサプレートを２〜３回使用できるようにする性質の交換式保護ケーシングで覆うことができる。ホルダピンは、それを製造している材料と共に消毒または殺菌の利用可能性に応じて、使い捨てまたは何度も再使用可能にすることができる。
【００２３】
センサプレートの係合部材が取り外し可能であるとき、これらの部材も、有効に消毒または殺菌することができる材料から形成することができる。望むなら、センサプレートは、係合手段を含めて、有効に消毒または殺菌することができるように設計することができる。
【００２４】
ホルダピン４０が使い捨て用である場合、ホルダは好ましくは、歯科検査中の一人の同一患者について、必要なすべての照射に対してプレートを保持する寸法であろう。
【００２５】
本発明の簡略化された実施形態の場合、センサプレートは、異なった３つの位置で、例えば、位置Ａ、Ｃ、ＥまたはＢ、Ｄ、Ｆ、あるいは他の位置の組み合わせでプレート保持部材に係合するようにしてもよいことが理解されるであろう。これは、センサプレート上の係合部材の数を減少させることによって達成される。したがって、本発明の本質的な特徴は、センサプレートが少なくとも異なった３つの位置で、好ましくは異なった６つの位置で、プレート保持部材に係合することができる部材を有するまたは保持するか、または装備していることである。望むなら、センサプレートはもちろん、センサプレート上の係合部材の数の上記減少により、異なった４または５つの位置で、プレート保持部材に係合するように設計してもよい。
【００２６】
発明概念の枠内での設計修正が可能であることは、もちろん理解されるであろう。センサプレートの外形およびプレート保持部材の設計も、もちろん変化してもよい。
【００２７】
センサプレート内の開口の詳細な配置および／または補助機構に関して、多くの変化が本発明の範囲内で可能であり、それにより、プレート保持部材の設計を、所望の、または必要な位置決め協働に適応させることもできる。
【００２８】
したがって、本発明は、記載かつ図示されたその実施形態に制限されないで、添付の特許請求の範囲内で、変化および修正を加えることができることを理解されたい。
【図面の簡単な説明】
【００２９】
【図１】本発明の機構の複合斜視図である。
【図２】本発明のセンサプレートの一実施形態の斜視図である。
【図３】本発明のセンサプレートの一実施形態の斜視図である。
【図４】本発明のセンサプレートの一実施形態の斜視図である。
【図５】本発明のセンサプレートの一実施形態の斜視図である。
【図６】本発明のセンサプレートの一実施形態の斜視図である。
【図７】プレート保持部材およびセンサプレート間のさらなる他の固定具の側面図である。
【図８】プレート保持部材およびセンサプレート間のさらなる他の固定具の側面図である。
【図１】
2005534401.tif 000003
【図２】
2005534401.tif 000004
【図３】
2005534401.tif 000005
【図４】
2005534401.tif 000006
【図５】
2005534401.tif 000007
【図６】
2005534401.tif 000008
【図７】
2005534401.tif 000009
【図８】
2005534401.tif 000010
【手続補正書】
【提出日】平成17年4月5日(2005.4.5)
【手続補正１】
【補正対象書類名】特許請求の範囲
【補正対象項目名】全文
【補正方法】変更
【補正の内容】
【特許請求の範囲】
【請求項１】
歯科用Ｘ線撮影を目的としたセンサプレートに関し、前記センサプレート（１０，１０’，１０’’，１０’’’）は、例えばデジタルまたはアナログ式であって、使い捨てまたは多数回の使用が意図されている装置において、
前記センサプレート（１０，１０’，１０’’，１０’’’）は、少なくとも３つの異なった位置（Ａ〜Ｆ）で、プレート保持部材（４０）に係合することを意図した係合部材（３０，３１，３０’，３１’，６１〜６４，８０〜８２，９０，９５）を有するまたは保持し、
前記係合部材（３０’，３１’，６１〜６４，８０〜８２，９０，９５）は、前記センサプレート（１０’，１０’’，１０’’’）に固定され、または配置される
ことを特徴とする装置。
【請求項２】
前記センサプレートの前記係合部材（３０，３１）は、側部材（２１〜２４）に配置されていることを特徴とする請求項１に記載の装置。
【請求項３】
前記係合部材（３０，３１’）は、前記センサプレート（１０）から取り外し可能であることを特徴とする請求項１または２に記載の装置。
【請求項４】
前記係合部材は、前記センサプレート（１０’’’）内に、開口（７１〜７８，９０，９５）を有することを特徴とする請求項１に記載の装置。
【請求項５】
前記係合部材は、ワイヤ状部材（６１〜６４）を有することを特徴とする請求項１に記載の装置。
【請求項６】
前記プレート保持部材（４０）は、前記係合部材（３０，３１，３０’，３１’，６１〜６４，８０〜８２）に係合する溝（５１，５２）有することを特徴とする請求項１〜５のいずれか一項に記載の装置。
【請求項７】
前記プレート保持部材（４０）は、咬みプレート（４５）を有することを特徴とする請求項１〜６のいずれか一項に記載の装置。
【請求項８】
前記プレート保持部材（４０）は、保持ピン（４１）および位置合わせ補助部材（４６）を有することを特徴とする請求項１〜７のいずれか一項に記載の装置。
【請求項９】
前記センサプレート（１０，１０’，１０’’，１０’’’）は、６つの異なった位置（Ａ〜Ｆ）で、前記プレート保持部材（４０）に係合するようになっていることを特徴とする請求項１〜８のいずれか一項に記載の装置。
【国際調査報告】
2005534401.tif 000011
2005534401.tif 000012